(57)【特許請求の範囲】
【請求項１】
表面に異なる素材を用いた複数の部位又は物体を有し、遠隔制御のために前記複数の部位又は物体を選択する操作が行われた場合に、当該選択された部位又は物体の素材が反映された遠隔制御信号を生成して送信するセンシング装置と、
一つの機能に対応して実行内容の異なる複数の動作モードを有し、前記センシング装置から送信された遠隔制御信号に応じて、前記一つの機能に対応する複数の動作モードのうち前記送信元のセンシング装置において選択された部位又は物体の素材に対応する動作モードを選択的に実行する機能実行装置と
を具備することを特徴とする遠隔制御システム。
【請求項２】
前記センシング装置及び機能実行装置との間でそれぞれ通信が可能な中継装置をさらに具備し、
前記中継装置は、
前記センシング装置の素材が異なる複数の部位又は物体を識別する識別情報と、前記機能実行装置に実行させる動作モードを表す情報とを相互に関連付けて記憶した記憶手段と、
前記センシング装置から送信された遠隔制御信号を受信して、当該遠隔制御信号から前記選択された部位又は物体の識別情報を抽出する手段と、
前記抽出された部位又は物体の識別情報をもとに、前記記憶手段から当該部位又は物体の識別情報と関連付けられた動作モードを表す情報を読み出す手段と、
前記受信された遠隔制御信号を、前記読み出された動作モードを表す情報を含む信号に変換し、この変換後の遠隔制御信号を前記機能実行装置へ送信する手段と
を備えることを特徴とする請求項１記載の遠隔制御システム。
【請求項３】
前記センシング装置は、
前記素材が異なる複数の部位又は物体の周面に異なる機能実行命令が割り当てられ、前記素材が異なる複数の部位又は物体の周面の一つを選択する操作が行われた場合に、当該選択された周面の素材を表す情報と当該周面に割り当てられた機能実行命令を表す情報を含む遠隔制御信号を生成して送信する手段を備え、
前記中継装置は、
前記複数の部位又は物体の周面の素材を表す情報と当該周面に割り当てられた機能実行命令を表す情報との組み合わせに関連付けて、前記機能実行装置に実行させる動作モードを表す情報を記憶した記憶手段と、
前記センシング装置から送信された遠隔制御信号を受信して、当該遠隔制御信号から前記選択された周面の素材を表す情報と当該周面に割り当てられた機能実行命令を表す情報を抽出する手段と、
前記抽出された周面の素材を表す情報及び機能実行命令を表す情報をもとに、前記記憶手段から当該周面の素材を表す情報及び機能実行命令を表す情報に関連付けられた動作モードを表す情報を読み出す手段と、
前記受信された遠隔制御信号を、前記読み出された動作モードを表す情報を含む信号に変換し、この変換後の遠隔制御信号を前記機能実行装置へ送信する手段と
を備えることを特徴とする請求項２記載の遠隔制御システム。
【請求項４】
一つの機能に対応して実行内容の異なる複数の動作モードを有する機能実行装置を遠隔制御するための信号を送信するセンシング装置であって、
表面に第１の素材を用い、前記機能実行装置の一つの機能を遠隔制御するための操作が行われた場合に、前記第１の素材に対応する動作モードを指定する情報を含む第１の遠隔制御信号を送信する第１のセンシングユニットと、
表面に前記第１の素材とは異なる第２の素材を用い、前記機能実行装置の一つの機能を遠隔制御するための操作が行われた場合に、前記第２の素材に対応する動作モードを指定する情報を含む第２の遠隔制御信号を送信する第２のセンシングユニットと、
を具備することを特徴とするセンシング装置。
【請求項５】
一つの機能に対応して実行内容の異なる複数の動作モードを有する機能実行装置を遠隔制御するための信号を送信するセンシング装置であって、
表面に第１の素材を用いた第１の面と、
表面に前記第１の素材とは異なる第２の素材を用いた第２の面と、
前記機能実行装置の一つの機能を遠隔制御するために前記第１及び第２の面の何れか一方を選択する操作が行われた場合に、当該選択された面に対応する動作モードを指定する情報を含む遠隔制御信号を送信する手段と
を具備することを特徴とするセンシング装置。
【請求項６】
前記第１及び第２のセンシングユニットは、
複数の周面にそれぞれ異なる機能実行命令が割り当てられ、前記複数の周面の一つを選択する操作が行われた場合に、当該選択された周面の素材を表す情報と当該周面に割り当てられた機能実行命令を表す情報、又はこれらの情報に予め対応付けられた動作モードを表す情報を含む遠隔制御信号を生成して送信する手段を備えることを特徴とする請求項４記載のセンシング装置。
【請求項７】
一つの機能に対応して実行内容の異なる複数の動作モードを有する機能実行装置、及び表面に異なる素材を用いた複数の部位又は物体を有し遠隔制御のために前記複数の部位又は物体を選択する操作が行われた場合に当該選択された部位又は物体の素材が反映された遠隔制御信号を生成して送信するセンシング装置との間でそれぞれ通信が可能な中継装置であって、
前記センシング装置の素材が異なる複数の部位又は物体を識別する識別情報と、前記機能実行装置に実行させる動作モードを表す情報とを相互に関連付けて記憶した記憶手段と、
前記センシング装置から送信された遠隔制御信号を受信して、当該遠隔制御信号から前記選択された部位又は物体の識別情報を抽出する手段と、
前記抽出された部位又は物体の識別情報をもとに、前記記憶手段から当該部位又は物体の識別情報と関連付けられた動作モードを表す情報を読み出す手段と、
前記受信された遠隔制御信号を、前記読み出された動作モードを表す情報を含む信号に変換し、この変換後の遠隔制御信号を前記機能実行装置へ送信する手段と
を具備することを特徴とする中継装置。
【請求項８】
一つの機能に対応して実行内容の異なる複数の動作モードを有する機能実行装置と、表面に異なる素材を用いた複数の部位又は物体を有するセンシング装置とを具備する遠隔制御システムが実行する遠隔制御方法であって、
前記センシング装置が、遠隔制御のために前記複数の部位又は物体を選択する操作が行われた場合に、当該選択された部位又は物体の素材が反映された遠隔制御信号を生成して送信する過程と、
前記機能実行装置が、前記センシング装置から送信された遠隔制御信号に応じて、前記一つの機能に対応する複数の動作モードのうち前記送信元のセンシング装置において選択された部位又は物体の素材に対応する動作モードを選択的に実行する過程と
を具備することを特徴とする遠隔制御方法。
【請求項９】
一つの機能に対応して実行内容の異なる複数の動作モードを有する機能実行装置と、表面に異なる素材を用いた複数の部位又は物体を有するセンシング装置と、これらのセンシング装置及び機能実行装置との間でそれぞれ通信が可能な中継装置とを具備する遠隔制御システムが実行する遠隔制御方法であって、
前記センシング装置が、遠隔制御のために前記複数の部位又は物体を選択する操作が行われた場合に、当該選択された部位又は物体の識別情報を含む遠隔制御信号を生成して送信する過程と、
前記中継装置が、前記センシング装置から送信された遠隔制御信号を受信して、当該遠隔制御信号から前記選択された部位又は物体の識別情報を抽出する過程と、
前記中継装置が、前記抽出された部位又は物体の識別情報をもとに、前記記憶手段から当該部位又は物体の識別情報と関連付けられた動作モードを表す情報を読み出す過程と、
前記中継装置が、前記受信された遠隔制御信号を、前記読み出された動作モードを表す情報を含む信号に変換し、この変換後の遠隔制御信号を前記機能実行装置へ送信する過程と、
前記機能実行装置が、前記中継装置から送信された遠隔制御情報を受信して、当該遠隔制御信号から動作モードを表す情報を抽出する過程と、
前記機能実行装置が、前記抽出された動作モードを表す情報に従い当該動作モードを実行する過程と
を具備することを特徴とする遠隔制御方法。
【発明の詳細な説明】
【技術分野】
【０００１】
この発明は、家電機器やオフィス機器等の機能実行装置の機能をセンシングユニットを使用して遠隔制御する遠隔制御システムと、このシステムで使用される装置及び方法に関する。
【背景技術】
【０００２】
近年、家電機器やオフィス機器の中には、機器本体が有する機能をリモートコントローラを使用して遠隔制御するものが増えている。リモートコントローラには、例えば複数のハードウエアスイッチ又はソフトウエアスイッチとディスプレイが設けられ、ユーザが上記スイッチを操作するとその操作信号がリモートコントローラから機器本体へ送信される。機器本体では、上記操作信号を受信すると当該操作信号が解読され、この解読結果に従い対応する機能が実行される。また、上記操作内容又は実行された機能に関する情報がリモートコントローラのディスプレイに表示される（例えば特許文献１を参照）。
【先行技術文献】
【特許文献】
【０００３】
【特許文献１】特開２０１１−１７２０９７号公報
【発明の概要】
【発明が解決しようとする課題】
【０００４】
ところが、上記のようにリモートコントローラを用いて機器本体の機能を遠隔制御する機器では、遠隔制御を行う場合に必ずスイッチを操作しなければならない。このため、ユーザは機器本体の制御対象機能とスイッチとの対応関係を覚えておくか、或いは取扱説明書等によりその都度確認しなければならず、特にお年寄りや子供のように機器の操作に不慣れなユーザにとっては操作が面倒だった。
【０００５】
この発明は上記事情に着目してなされたもので、その目的とするところは、機能実行装置に実行させようとする動作モードに応じて、センシング装置の素材の異なる部位又は物体を選択するだけで、複雑な操作を行うことなく、素材の違いから直感的に理解できる動作状態に遠隔制御できるようにした遠隔制御システムとその装置及び方法を提供することにある。
【課題を解決するための手段】
【０００６】
上記目的を達成するためにこの発明の第１の観点は、表面に異なる素材を用いた複数の部位又は物体を有するセンシング装置と、一つの機能に対応して実行内容の異なる複数の動作モードを有する機能実行装置を具備する。センシング装置は、遠隔制御のために上記複数の部位又は物体を選択する操作が行われた場合に、当該選択された部位又は物体の素材が反映された遠隔制御信号を生成して送信する。機能実行装置は、上記センシング装置から送信された遠隔制御信号に応じて、上記一つの機能に対応する複数の動作モードのうち上記送信元のセンシング装置において選択された部位又は物体の素材に対応する動作モードを選択的に実行する。
【０００７】
この発明の第２の観点は、上記センシング装置及び機能実行装置との間でそれぞれ通信が可能な中継装置をさらに具備し、この中継装置には、上記センシング装置の素材が異なる複数の部位又は物体を識別する識別情報と、上記機能実行装置に実行させる動作モードを表す情報とを相互に関連付けて記憶した記憶手段を設ける。そして、中継装置により、上記センシング装置から送信された遠隔制御信号を受信して、当該遠隔制御信号から上記選択された部位又は物体の識別情報を抽出し、この抽出された部位又は物体の識別情報をもとに、上記記憶手段から当該部位又は物体の識別情報と関連付けられた動作モードを表す情報を読み出す。そして、上記受信された遠隔制御信号を上記読み出された動作モードを表す情報を含む信号に変換し、この変換後の遠隔制御信号を上記機能実行装置へ送信する。
【０００８】
この発明の第３の観点は、センシング装置において、素材が異なる複数の部位又は物体の周面に異なる機能実行命令を割り当てる。そして、上記素材が異なる複数の部位又は物体の周面の一つを選択する操作が行われた場合に、当該選択された周面の素材を表す情報と当該周面に割り当てられた機能実行命令を表す情報を含む遠隔制御信号を生成して送信する。一方中継装置には、上記複数の部位又は物体の周面の素材を表す情報と当該周面に割り当てられた機能実行命令を表す情報との組み合わせに関連付けて上記機能実行装置に実行させる動作モードを表す情報を記憶した記憶手段を設ける。そして、中継装置により、上記センシング装置から送信された遠隔制御信号を受信して、当該遠隔制御信号から上記選択された周面の素材を表す情報と当該周面に割り当てられた機能実行命令を表す情報を抽出する。そして、この抽出された周面の素材を表す情報及び機能実行命令を表す情報をもとに、上記記憶手段から当該周面の素材を表す情報及び機能実行命令を表す情報に関連付けられた動作モードを表す情報を読み出し、上記受信された遠隔制御信号を上記読み出された動作モードを表す情報を含む信号に変換し、この変換後の遠隔制御信号を上記機能実行装置へ送信する。
【発明の効果】
【０００９】
この発明の第１の観点によれば、センシング装置において素材が異なる複数の部位又は物体の一つが選択されると、当該選択された部位又は物体の素材が反映された遠隔制御信号が生成されて送信される。機能実行装置では、上記センシング装置から送信された遠隔制御信号に応じて、上記一つの機能に対応する複数の動作モードのうち上記送信元のセンシング装置において選択された部位又は物体の素材に対応する動作モードが選択的に実行される。このため、実行させようとする動作モードに応じて、センシング装置の素材の異なる部位又は物体を選択するだけで、複雑な操作を行うことなく機能実行装置に異なる動作モードを実行させることができる。
【００１０】
一例を述べると、アルミ素材等の「金属材料」は視覚的あるいは触覚的に「人工的」や「刺激的」、「冷たい」といった直感に対応する。この直感性を利用して、上記金属材料を用いた部位又は物体に対し例えば照明器具の動作モードとして人工的な色合いである「昼光色」を関連付けておく。そうすると、金属材料を用いた部位又は物体が選択された場合、照明器具は昼光色で発光する。一方、ファー素材等の「起毛材料」は視覚的あるいは触覚的に「自然的」や「優しい」、「暖かい」といった直感に対応する。この直感性を利用して、起毛材料を用いた部位又は物体に対し例えば照明器具の動作モードとして暖かみのある色合いである「電球色」を関連付けておけば、起毛材料を用いた部位又は物体が選択された場合、照明器具は電球色で発光する。
【００１１】
この発明の第２の観点によれば、センシング装置から送信された遠隔制御信号は中継装置で一旦受信され、この中継装置において当該遠隔制御信号に含まれる選択された部位又は物体の識別情報が対応する動作モードを表す情報に変換されたのち機能実行装置に転送される。このため、センシング装置において素材の検出情報を動作モードの識別情報に変換する必要がなくなり、これによりセンシング装置を簡単かつ安価なものにすることができる。この効果は、機能実行装置が備える動作モードの種類が多い場合や、種類の異なる複数の機能実行装置を同時に制御するような場合に特に有効である。
【００１２】
この発明の第３の観点によれば、センシング装置の複数の部位又は物体の周面に異なる機能実行命令が割り当てられ、上記複数の部位又は物体の周面の一つが選択された場合に、当該選択された部位又は物体周面の素材を表す情報と当該周面に割り当てられた機能実行命令を表す情報を含む遠隔制御信号が中継装置へ送信される。中継装置では、上記センシング装置から送信された遠隔制御信号から抽出された周面の素材を表す情報及び機能実行命令を表す情報が動作モードを表す情報に変換され、この変換された動作モード情報を表す情報が機能実行装置に転送されて動作が制御される。このため、センシング装置の複数の部位又は物体の周面を選択する際に所望の機能実行命令を選択することで、機能実行装置に対し機能実行命令と素材との組み合わせに応じて多種類の機能を選択的に実行させることが可能となる。
【００１３】
すなわちこの発明によれば、機能実行装置に実行させようとする動作モードに応じて、センシング装置の素材の異なる部位又は物体を選択するだけで、複雑な操作を行うことなく、素材の違いから直感的に理解できる動作状態に遠隔制御できるようにした遠隔制御システムとその装置及び方法を提供することができる。
【図面の簡単な説明】
【００１４】
【図１】この発明の第１の実施形態に係る遠隔制御システムの全体構成図。
【図２】図１に示したシステムの機能ブロック図。
【図３】図２に示したシステムのホームサーバに記憶される、アルミ素材を用いたセンシングユニットに対応する変換テーブルの一例を示す図。
【図４】図２に示したシステムのホームサーバに記憶される、ファー素材を用いたセンシングユニットに対応する変換テーブルの一例を示す図。
【図５】図２に示したシステムにおける遠隔制御の処理手順と処理内容を示すフローチャート。
【００１５】
【図６】この発明の第２の実施形態に係る遠隔制御システムの全体構成図。
【図７】図６に示したシステムの機能ブロック図。
【図８】図７に示したシステムのホームサーバに記憶される変換テーブルの一例を示す図。
【図９】図７に示したシステムにおける遠隔制御の処理手順と処理内容を示すフローチャート。
【発明を実施するための形態】
【００１６】
以下、図面を参照してこの発明に係わる実施形態を説明する。  
［第１の実施形態］
この発明の第１の実施形態は、表面素材の異なる２個のセンシングユニットを選択的に使用して、複数の機能実行装置に対し多様な遠隔制御を行えるようにするものである。
【００１７】
図１はこの発明の第１の実施形態に係る遠隔制御システムの全体構成を示す図であり、図中１０ａ，１０ｂはセンシングユニット、２０は中継装置として動作するホームサーバ、３０ａ，３０ｂ，３０ｃ，…は機能実行装置をそれぞれ示している。
各機能実行装置のうち、機能実行装置３０ａは照明器具からなり、その機能として「ON」、「OFF」等の標準的な機能に加え、照明の色合いを「電球色」、「昼白色」、「昼光色」などに変化させる機能や、明度を変化させる機能、さらに「明るくする」、「リラックス」等の上位概念的な機能実行命令（以後メタ命令と称する）に対応する複数の付加的な実行機能を備えている。また機能実行装置３０ｂはエアコンからなり、その機能として「ON」、「OFF」等の標準的な機能に加え、「リラックス」、「寝る」等のユーザのメタ命令に対応するエアコン特有の複数の付加的な実行機能を備えている。
【００１８】
センシングユニット１０ａ，１０ｂは何れも正六面体からなる筐体を有する。このうちセンシングユニット１０ａの筐体は例えばアルミニウムのような金属材料により構成されている。これに対しセンシングユニット１０ｂの筐体は、例えば金属材料又は樹脂材料の表面にファー素材を貼り付けたものとなっている。センシングユニット１０ａ，１０ｂの筐体の６つの各面には、それぞれ上記機能実行装置３０ａ，３０ｂ，３０ｃ，…に対するメタ命令、例えば「ON」、「OFF」、「明るくする」、「リラックス」、「暗くする」、「寝る」等を表す名称が印刷等により表記されている。なお、これらの名称は印刷以外に手書きしてもよく、さらには当該文字が印刷されたシールを筐体面に貼付することにより表記してもよい。
【００１９】
図２は、上記センシングユニット１０ａ，１０ｂ、機能実行装置３０ａ，３０ｂ，３０ｃ，…、ホームサーバ２０の機能構成を示すブロック図である。  
センシングユニット１０ａ，１０ｂは、上記６つの面にそれぞれ配設された計測部１１１〜１１６と、回路モジュール部１２を備えている。計測部１１１〜１１６は感圧センサからなり、センシングユニット１０ａ，１０ｂがどの面を上にしてテーブル（図示せず）等に置かれたかを検出するもので、計測部１１１〜１１６ごとにそれぞれ検出電圧値ｖ1 〜ｖ6 を出力する。
【００２０】
回路モジュール部１２は、センシングユニットＩＤ格納部１２１と、命令ＩＤ格納部１２２と、閾値判定部１２３と、センシング通信部１２４を備えている。なお、これらの機能のうち閾値判定部１２３及びセンシング通信部１２４は、図示しないプログラムメモリに格納されたプログラムをＣＰＵ（Central Processing Unit）に実行させることにより実現される。
【００２１】
センシングユニットＩＤ格納部１２１には、センシングユニット１０ａ，１０ｂを識別するためのセンシングユニットＩＤ（ＤＵａ，ＤＵｂ）が記憶されている。このセンシングユニットＩＤ（ＤＵａ，ＤＵｂ）はセンシングユニットの表面素材、つまりアルミ素材かファー素材かを間接的に表す。
【００２２】
命令ＩＤ格納部１２２には、上記６つの計測部１１１〜１１６の識別情報（センサＩＤ）に対応付けて、上記６つの面に記載された「ON」、「OFF」、「明るくする」、「リラックス」、「寝る」等のメタ命令を識別するための命令ＩＤが記憶されている。また命令ＩＤ格納部１２２には、上記各命令ＩＤと計測部１１１〜１１６との対応関係を表す情報と、上記計測部１１１〜１１６から出力される検出電圧値ｖ1 〜ｖ6 を判定するための異なる６つの閾値Ｖt1〜Ｖt6が予め記憶されている。
【００２３】
閾値判定部１２３は、上記計測部１１１〜１１６から出力される検出電圧値ｖ1 〜ｖ6 を、上記命令ＩＤ格納部１２２に記憶された閾値Ｖt1〜Ｖt6と比較することにより、検出電圧を出力した計測部１１１〜１１６がどの面に配置された計測部かを判定する。さらに、上記命令ＩＤ格納部１２２に記憶された、各命令ＩＤと計測部１１１〜１１６との対応関係を表す情報を参照することにより、当該計測部が配置された面と対向する面（反対側の面）に記載された命令ＩＤを読み出す。またそれと共に、センシングユニットＩＤ格納部１２１からセンシングユニットＩＤを読み出す。
【００２４】
センシング通信部１２４は、上記読み出された命令ＩＤ及びセンシングユニットＩＤを含む遠隔制御信号を生成し、この生成された遠隔制御信号をホームサーバ２０へ送信する処理を行う。なお、通信媒体としては指向性の制限が少ない無線が好適であるが、赤外線を用いてもよい。
【００２５】
ホームサーバ２０は例えばパーソナル・コンピュータからなり、この実施形態を実現するために必要な機能として、ホームサーバ通信部２１と、センシングユニット判別部２２と、命令／実行変換部２３と、変換テーブル２４を備えている。なお、これらの機能のうちホームサーバ通信部２１、センシングユニット判別部２２及び命令／実行変換部２３は、図示しないプログラムメモリに格納されたプログラムをＣＰＵに実行させることにより実現される。
【００２６】
ホームサーバ通信部２１は、遠隔制御信号の受信機能と送信機能を備えている。受信機能は、上記センシングユニット１０ａ，１０ｂから送信された遠隔制御信号を受信する処理を行う。送信機能は、上記受信された遠隔制御信号を、後述する命令／実行変換部２３から渡される機能実行装置ＩＤ及び動作モードＩＤを含む遠隔制御信号に変換し、この変換された遠隔制御信号を機能実行装置３０ａ，３０ｂ，３０ｃ，…へ送信する。なお、通信インタフェースしては、無線ＬＡＮ（Local Area Network）やBluetooth（登録商標）等の近距離データ通信規格を採用した無線インタフェース、或いは赤外線インタフェースが使用される。
【００２７】
変換テーブル２４には、センシングユニットＩＤと命令ＩＤの各組み合わせに対応付けて、機能実行装置３０ａ，３０ｂ，３０ｃ，…の識別情報（機能実行装置ＩＤ）と、機能実行装置の実行内容、つまり動作モードを識別する情報（動作モードＩＤ）が記憶されている。図３及び図４はそれぞれセンシングユニット１０ａ（アルミ素材）及びセンシングユニット１０ｂ（ファー素材）に対応する変換テーブルの一例を示すものである。
【００２８】
センシングユニット判別部２２は、上記ホームサーバ通信部２１により受信された遠隔制御信号からセンシングユニットＩＤ及び命令ＩＤを抽出し、送信元のセンシングユニットがアルミ素材を用いたセンシングユニット１０ａであるか、ファー素材を用いたセンシングユニット１０ｂであるかを判別する。
【００２９】
命令／実行変換部２３は、上記センシングユニット判別部２２により抽出されたセンシングユニットＩＤ及び命令ＩＤをもとに、上記変換テーブル２４から該当する機能実行装置ＩＤと実行内容を表す動作モードＩＤを読み出し、この読み出した機能実行装置ＩＤ及び動作モードＩＤを上記ホームサーバ通信部２１に渡す。
【００３０】
機能実行装置３０ａ，３０ｂ，３０ｃ，…は、機能情報格納部３１と、機能実行部３２と、クライアント通信部３３を備えている。このうち機能実行部３２及びクライアント通信部３３は、図示しないプログラムメモリに格納されたプログラムをＣＰＵに実行させることにより実現される。
【００３１】
機能情報格納部３１には、上記ホームサーバ２０が送信する動作モードＩＤに対応付けて、機能実行装置３０ａ，３０ｂ，３０ｃ，…が備える機能の具体的な実行内容を表す情報が記憶されている。
クライアント通信部３３は、上記ホームサーバ２０から送信される遠隔制御信号を受信する機能を有する。機能実行部３２は、上記クライアント通信部３３により受信された遠隔制御信号から機能実行装置ＩＤ及び動作モードＩＤを抽出し、この抽出された機能実行装置ＩＤが自装置のＩＤと一致する場合に、上記抽出された動作モードＩＤに対応する機能実行内容を表す情報を上記機能格納部３１から読み出し、この読み出された機能実行内容を表す情報を実行する処理を行う。
【００３２】
（動作）
次に、以上のように構成されたセンシングユニット１０ａ，１０ｂ、ホームサーバ２０及び機能実行装置３０ａ，３０ｂ，３０ｃ，…の動作を説明する。図５は、遠隔制御の処理手順と処理内容を示すフローチャートである。  
なお、ホームサーバ２０の変換テーブル２４には、図３に示すアルミ素材を用いたセンシングユニット１０ａに対応する変換テーブルと、図４に示すファー素材を用いたセンシングユニット１０ｂに対応する変換テーブルが記憶されているものとして説明を行う。
【００３３】
ユーザが、センシングユニット１０ａ，１０ｂの何れか一方を、希望するメタ命令が記載された面を上にしてテーブル上に置いたとする。センシングユニット１０ａ又は１０ｂでは、計測値の発生をステップＳ１１で検出すると、ステップＳ１２において計測部１１１〜１１６から出力される検出電圧ｖ1 〜ｖ6 がそれぞれ取り込まれる。そして、この取り込まれた検出電圧ｖ1 〜ｖ6 が、命令ＩＤ格納部１２２に格納されている閾値Ｖt1 〜Ｖt6とステップＳ１３で比較され、検出電圧を出力した計測部１１１〜１１６がどの面に配置された計測部であるかが判定される。続いてステップＳ１４において、命令ＩＤ格納部１２２に格納された、各命令ＩＤと計測部１１１〜１１６との対応関係を表す情報をもとに、上記検出電圧を出力した計測部１１１〜１１６が配置された面と対向する面（反対側となる面）に記載されたメタ命令を表す命令ＩＤが命令ＩＤ格納部１２２から読み出される。
【００３４】
すなわち、センシングユニット１０ａ，１０ｂをテーブルに置くと、当該センシングユニット１０ａ，１０ｂのテーブルと接する面（下面）に配置された計測部から検出信号が出力され、この検出信号を出力した計測部が配置された面とは反対側となる面、つまり上面に記載されたメタ命令を表す命令ＩＤが読み出される。
【００３５】
次にステップＳ１５において、センシング通信部１２４により上記読み出された命令ＩＤとセンシングユニットＩＤ格納部１２１から読み出されたセンシングユニットＩＤとを含む遠隔制御信号が生成され、この生成された遠隔制御信号がセンシング通信部１２４からホームサーバ２０に向け送信される。
【００３６】
ホームサーバ２０では、ステップＳ１６で遠隔制御信号の到来を検知すると、ステップＳ１７により上記遠隔制御信号の受信処理が行われ、この受信された遠隔制御信号から命令ＩＤ及びセンシングユニットＩＤが抽出される。続いてステップＳ１８において、上記抽出された命令ＩＤ及びセンシングユニットＩＤをもとに変換テーブル２４がアクセスされ、上記命令ＩＤ及びセンシングユニットＩＤに対応付けられた機能実行装置ＩＤ及び実行内容を表す動作モードＩＤが読み出される。
【００３７】
そしてステップＳ１９において、上記センシングユニット１０ａ，１０ｂから受信した遠隔制御信号が、上記読み出された機能実行装置ＩＤ及び実行内容を表す動作モードＩＤを含む遠隔制御信号に変換され、この変換後の遠隔制御信号がホームサーバ通信部２１から機能実行装置３０ａ，３０ｂ，３０ｃ，…に向け送信される。
【００３８】
これに対し機能実行装置３０ａ，３０ｂ，３０ｃ，…では、ステップＳ２０で遠隔制御信号の到来を検知すると、ステップＳ２１により上記遠隔制御信号の受信処理が行われ、この受信された遠隔制御信号から機能実行装置ＩＤ及び動作モードＩＤが抽出される。続いてステップＳ２２において、上記抽出された機能実行装置ＩＤ及び動作モードＩＤをもとに、機能情報格納部３１から上記機能実行装置ＩＤ及び動作モードＩＤに対応付けられた実行内容を表す制御情報が読み出される。そして、上記実行内容を表す制御情報に従い、ステップＳ２３において該当する機能が実行される。
【００３９】
例えば、いまユーザが、アルミ素材を用いたセンシングユニット１０ａを、「明るくする」が記載された面が上面となるようにテーブル上に置いたとする。この場合、センシングユニット１０ａからは、「明るくする」に対応する命令ＩＤ（ｃ１）と、センシングユニット１０ａを識別するセンシングユニットＩＤ（ＤＵａ）を含む遠隔制御信号が送信される。ホームサーバ２０では、上記遠隔制御信号に含まれる命令ＩＤ（ｃ１）とセンシングユニットＩＤ（ＤＵａ）をもとに、図３に示す変換テーブルから「照明器具」のＩＤ（ｍ１）と「昼白色で明度最大で点灯する」を表す動作モードＩＤ（ａ１）が読み出される。そして、この読み出された各ＩＤ（ｍ１），（ａ１）を含む遠隔制御信号が機能実行装置３０ａ，３０ｂ，３０ｃ，…に向け送信される。
【００４０】
機能実行装置（照明器具）３０ａでは、上記遠隔制御信号が受信されると、先ず当該遠隔制御信号に含まれる「照明器具」のＩＤ（ｍ１）をもとに、上記受信された遠隔制御信号が自装置宛の信号であるか否かが判定される。そして、自装置宛の遠隔制御信号であれば、上記受信された遠隔制御信号に含まれる動作モードＩＤ（ａ１）をもとに、機能情報格納部３１から当該動作モードＩＤ（ａ１）に対応する制御情報である「昼白色で明度最大で点灯する」が読み出され、この読み出された制御情報に従い昼白色で明度が最大になるように照明動作が制御される。
【００４１】
一方、ユーザが、ファー素材を用いたセンシングユニット１０ｂを、「明るくする」が記載された面が上面となるようにテーブル上に置いたとする。この場合、センシングユニット１０ｂからは、「明るくする」に対応する命令ＩＤ（ｃ１）と、センシングユニット１０ｂを識別するセンシングユニットＩＤ（ＤＵｂ）を含む遠隔制御信号が送信される。ホームサーバ２０では、上記遠隔制御信号に含まれる命令ＩＤ（ｃ１）とセンシングユニットＩＤ（ＤＵｂ）をもとに、図４に示す変換テーブルから「照明器具」のＩＤ（ｍ１）と「電球色で明度最大で点灯する」を表す動作モードＩＤ（ａ３）が読み出される。そして、この読み出された各ＩＤ（ｍ１），（ａ３）を含む遠隔制御信号が機能実行装置３０ａ，３０ｂ，３０ｃ，…に向け送信される。
【００４２】
機能実行装置（照明器具）３０ａでは、上記遠隔制御信号が受信されると、先ず当該遠隔制御信号に含まれる「照明器具」のＩＤ（ｍ１）をもとに、上記受信された遠隔制御信号が自装置宛の信号であるか否かが判定される。そして、自装置宛の遠隔制御信号であれば、上記受信された遠隔制御信号に含まれる動作モードＩＤ（ａ３）をもとに、機能情報格納部３１から当該動作モードＩＤ（ａ３）に対応する制御情報である「電球色で明度最大で点灯する」が読み出され、この読み出された制御情報に従い電球色で明度が最大になるように照明動作が制御される。
【００４３】
すなわち、ユーザは、希望する照明の種類に応じてアルミ素材を用いたセンシングユニット１０ａと、ファー素材を用いたセンシングユニット１０ｂのいずれか一方を選択し、「明るくする」が記載された面を上面にしてテーブル上に置くだけで、機能実行装置（照明器具）３０ａの照明の色を遠隔制御することが可能となる。
【００４４】
また、ユーザが、アルミ素材を用いたセンシングユニット１０ａを選択して、「リラックス」を上面にしてテーブル上に置いた場合には、センシングユニット１０ａからは「リラックス」を表す命令ＩＤ（ｃ２）とセンシングユニット１０ａのセンシングユニットＩＤ（ＤＵａ）を含む遠隔制御信号が送信される。ホームサーバ２０では、上記遠隔制御信号に含まれる命令ＩＤ（ｃ２）とセンシングユニットＩＤ（ＤＵａ）をもとに、図３に示す変換テーブルから「照明器具」のＩＤ（ｍ１）と「電球色で明度最大で点灯する」を表す動作モードＩＤ（ａ２）が読み出され、これらのＩＤ（ｍ１），（ａ２）を含む遠隔制御信号が機能実行装置３０ａ，３０ｂ，３０ｃ，…に向け送信される。またそれと共に、図３に示す変換テーブルから「音楽プレーヤ」を表すＩＤ（ｍ２）と「クラシック」を表す動作モードＩＤ（ａ１）の対と、「アロマディフューザ」を表すＩＤ（ｍ３）と「ON」を表す動作モードＩＤ（ａ１）の対と、「エアコン」を表すＩＤ（ｍ４）と「温度設定を２度下げる」を表す動作モードＩＤ（ａ１）の対がそれぞれ読み出される。そして、これらのＩＤの対を含む遠隔制御信号がそれぞれ機能実行装置３０ａ，３０ｂ，３０ｃ，…に向け送信される。
【００４５】
機能実行装置（照明器具）３０ａでは、「照明器具」のＩＤ（ｍ１）を含む自装置宛の遠隔制御信号が受信されると、この遠隔制御信号に含まれる動作モードＩＤ（ａ２）に対応する「電球色で明度最大で点灯する」を表す制御情報に従い、電球色で明度が最大になるように照明動作が制御される。また、機能実行装置（エアコン）３０ｂでは、「エアコン」のＩＤ（ｍ４）を含む自装置宛の遠隔制御信号が受信されると、この遠隔制御信号に含まれる動作モードＩＤ（ａ１）に対応する「温度設定を２度下げる」を表す制御情報に従い、冷房又は暖房の温度を２度下げるように制御される。さらに、機能実行装置（音楽プレーヤ）３０ｃでは、「音楽プレーヤ」のＩＤ（ｍ２）を含む自装置宛の遠隔制御信号が受信されると、この遠隔制御信号に含まれる動作モードＩＤ（ａ１）に対応する「クラシック」を表す制御情報に従い、クラシック音楽が再生される。
【００４６】
これに対しユーザが、ファー素材を用いたセンシングユニット１０ｂを選択して、「リラックス」を上面にしてテーブル上に置いた場合には、センシングユニット１０ｂからは「リラックス」を表す命令ＩＤ（ｃ２）とセンシングユニット１０ｂのセンシングユニットＩＤ（ＤＵｂ）を含む遠隔制御信号が送信される。ホームサーバ２０では、上記遠隔制御信号に含まれる命令ＩＤ（ｍ２）とセンシングユニットＩＤ（ＤＵｂ）をもとに、図４に示す変換テーブルから「照明器具」のＩＤ（ｍ１）と「電球色で明度を落として点灯する」を表す動作モードＩＤ（ａ４）が読み出され、これらのＩＤ（ｍ１），（ａ４）を含む遠隔制御信号が機能実行装置３０ａ，３０ｂ，３０ｃに向け送信される。またそれと共に、図４に示す変換テーブルから「音楽プレーヤ」を表すＩＤ（ｍ２）と「クラシック」を表す動作モードＩＤ（ａ１）の対と、「アロマディフューザ」を表すＩＤ（ｍ３）と「ON」を表す動作モードＩＤ（ａ１）の対と、「エアコン」を表すＩＤ（ｍ４）と「静音モードにする」を表す動作モードＩＤ（ａ２）の対がそれぞれ読み出される。そして、これらのＩＤの対を含む遠隔制御信号がそれぞれ機能実行装置３０ａ，３０ｂ，３０ｃ，…に向け送信される。
【００４７】
機能実行装置（照明器具）３０ａでは、「照明器具」のＩＤ（ｍ１）を含む自装置宛の遠隔制御信号が受信されると、この遠隔制御信号に含まれる動作モードＩＤ（ａ３）に対応する「電球色で明度を落として点灯する」を表す制御情報に従い、電球色で明度を落とした状態に照明動作が制御される。また、機能実行装置（エアコン）３０ｂでは、「エアコン」のＩＤ（ｍ４）を含む自装置宛の遠隔制御信号が受信されると、この遠隔制御信号に含まれる動作モードＩＤ（ａ２）に対応する「静音モードにする」を表す制御情報に従い、静音モードで動作するように制御される。なお、機能実行装置（音楽プレーヤ）３０ｃでは、先に述べたアルミ素材を用いたセンシングユニット１０ａが操作された場合と同様に、クラシック音楽が再生される。
【００４８】
以上のように機能実行装置３０ａ，３０ｂ，３０ｃ，…では、新たな遠隔制御信号が受信されるごとに、当該遠隔制御信号に含まれる動作モードＩＤに対応付けられた機能が実行される。但し、アルミ素材を用いたセンシングユニット１０ａとファー素材を用いたセンシングユニット１０ｂが例えばほぼ同時にテーブルに置かれた場合のように、両センシングユニット１０ａ，１０ｂから短い時間間隔で遠隔制御信号が送信されることもあり得る。この場合、機能実行装置３０ａ，３０ｂ，３０ｃ，…は予め設定した時間内に複数の遠隔制御信号が受信されたか否かを監視する。そして、上記監視時間内に複数の遠隔制御信号が受信された場合には、両信号とも無効にする。
【００４９】
（効果）
以上詳述したように第１の実施形態では、アルミ素材を用いたセンシングユニット１０ａとファー素材を用いたセンシングユニット１０ｂを用意し、ユーザがこれらのセンシングユニット１０ａ，１０ｂのうち、希望する実行内容に対応するセンシングユニットを選択して、希望するメタ命令が記載された面が上面となるようにテーブル上に置くと、センシングユニット１０ａ，１０ｂから当該上面に記載されたメタ命令を表す命令ＩＤとセンシングユニットＩＤを含む遠隔制御信号が生成されてホームサーバ２０へ送信される。ホームサーバ２０では、上記遠隔制御信号に含まれる命令ＩＤ及びセンシングＩＤに対応付けられた機能実行装置のＩＤと実行内容を表す動作モードＩＤが変換テーブル２４から読み出され、上記受信された遠隔制御信号が上記読み出された各ＩＤを含む遠隔制御信号に変換されて機能実行装置３０ａ，３０ｂ，３０ｃ，…へ送信される。機能実行装置３０ａ，３０ｂ，３０ｃ，…では、受信された遠隔制御信号に含まれる機能実行装置ＩＤにより当該遠隔制御信号が自装置宛か否かを判定し、自装置宛であれば上記受信された遠隔制御信号に含まれる動作モードＩＤに対応する実行内容の動作が実行される。
【００５０】
したがって、ユーザは、希望する実行内容に応じてアルミ素材を用いたセンシングユニット１０ａとファー素材を用いたセンシングユニット１０ｂの何れかを選択し、希望するメタ命令が記載された面を上面にしてテーブル上に置くだけで、機能実行装置３０ａ，３０ｂ，３０ｃ，…を希望する動作状態に制御することができる。すなわち、アルミ素材を用いたセンシングユニット１０ａと、ファー素材を用いたセンシングユニット１０ｂを選択的に使用することで、機能実行装置３０ａ，３０ｂ，３０ｃ，…をセンシングユニット１０ａ，１０ｂの素材の違いから直感的に理解できる動作状態に遠隔制御することが可能となる。
【００５１】
センシングユニット１０ａ，１０ｂからは命令ＩＤとセンシングユニットＩＤを遠隔制御信号により送信し、ホームサーバ２０において上記遠隔制御信号に含まれる命令ＩＤとセンシングユニットＩＤをもとに制御対象の機能実行装置とその動作モードを特定して、機能実行装置３０ａ，３０ｂ，３０ｃ，…の動作を制御するようにしているので、センシングユニット１０ａ，１０ｂの処理負荷を軽減し、これによりセンシングユニット１０ａ，１０ｂの消費電力を減らしてバッテリ寿命を延ばすことが可能となる。
【００５２】
［第２の実施形態］
この発明の第２の実施形態は、一方の面がアルミ素材からなり、他方の面がファー素材からなるプレート型のセンシングユニットを用い、このセンシングユニットの何れかの面を選択することで、機能実行装置に対し上記各素材に応じた動作を実行させるようにしたものである。
【００５３】
図６はこの発明の第２の実施形態に係る遠隔制御システムの全体構成を示す図であり、図中４０はセンシングユニット、５０は中継装置として動作するホームサーバ、３０ｂは機能実行装置をそれぞれ示している。このうち機能実行装置３０ｂはエアコンからなり、その機能の実行内容として「ON」、「OFF」、「温度を上げる」、「温度を下げる」等の複数の動作モードを備えている。
【００５４】
センシングユニット４０は、長方形をなすプレートの第１の面４０ａをアルミ素材により形成すると共に第２の面４０ｂをファー素材により形成したもので、これら第１及び第２の面４０ａ，４０ｂにはそれぞれ素材の種類を識別する素材ＩＤ（ＤＵａ，ＤＵｂ）が割り当てられている。
【００５５】
図７は、上記センシングユニット４０、機能実行装置３０ｂ、ホームサーバ５０の機能構成を示すブロック図である。  
センシングユニット４０は、上記第１及び第２の面４０ａ，４０ｂにそれぞれ配設された計測部４１１，４１２と、回路モジュール部４２を備えている。計測部４１１，４１２は感圧センサからなり、センシングユニット４０がどの面を上にしてテーブル（図示せず）等に置かれたかを検出するもので、計測部４１１，４１２ごとにそれぞれ検出電圧値ｖ1 ，ｖ2 を出力する。
【００５６】
回路モジュール部４２は、センシングユニットＩＤ格納部４２１と、閾値判定部４２２と、センシング通信部４２３を備えている。なお、これらの機能のうち閾値判定部４２２及びセンシング通信部４２３は、図示しないプログラムメモリに格納されたプログラムをＣＰＵ（Central Processing Unit）に実行させることにより実現される。
【００５７】
センシングユニットＩＤ格納部４２１には、センシングユニット４０の第１及び第２の面４０ａ，４０ｂを識別するためのＩＤ（ＤＵａ，ＤＵｂ）が記憶されている。このＩＤ（ＤＵａ，ＤＵｂ）は、センシングユニット４０の第１及び第２の面４０ａ，４０ｂの素材の違い、つまりアルミ素材かファー素材かを間接的に表す素材ＩＤとして使用される。
【００５８】
閾値判定部４２２は、上記計測部４１１，４１２から出力される検出電圧値ｖ1 ，ｖ2 を判定するための異なる２つの閾値Ｖt1，Ｖt2を予め記憶している。そして、上記計測部４１１，４１２から出力される検出電圧値ｖ1 ，ｖ2 を上記予め記憶されている閾値Ｖt1，Ｖt2と比較することにより、検出電圧を出力した計測部４１１，４１２が第１及び第２の面のうちのどの面に配置された計測部かを判定する。そして、上記判定された面に対し反対側となる面に対応する素材ＩＤ（ＤＵａ，ＤＵｂ）をセンシングユニットＩＤ格納部４２１から読み出す。
【００５９】
センシング通信部４２３は、上記読み出された素材ＩＤを含む遠隔制御信号を生成し、この生成された遠隔制御信号をホームサーバ５０へ送信する処理を行う。なお、通信媒体としては指向性の制限が少ない無線が好適であるが、赤外線を用いてもよい。
【００６０】
ホームサーバ５０は例えばパーソナル・コンピュータからなり、この実施形態を実現するために必要な機能として、ホームサーバ通信部５１と、センシングユニット判別部５２と、命令／実行変換部５３と、変換テーブル５４を備えている。なお、これらの機能のうちホームサーバ通信部５１、センシングユニット判別部５２及び命令／実行変換部５３は、図示しないプログラムメモリに格納されたプログラムをＣＰＵに実行させることにより実現される。
【００６１】
ホームサーバ通信部５１は、遠隔制御信号の受信機能と送信機能を備えている。受信機能は、上記センシングユニット４０から送信された遠隔制御信号を受信する処理を行う。送信機能は、上記受信された遠隔制御信号を、後述する命令／実行変換部５３から渡される機能実行装置ＩＤ及び動作モードＩＤを含む遠隔制御信号に変換し、この変換された遠隔制御信号を機能実行装置３０ｂへ送信する。なお、通信インタフェースしては、無線ＬＡＮ（Local Area Network）やBluetooth（登録商標）等の近距離データ通信規格を採用した無線インタフェース、或いは赤外線インタフェースが使用される。
【００６２】
変換テーブル５４には、センシングユニット４０の第１及び第２の面４０ａ，４０ｂの素材を表す素材ＩＤ（ＤＵａ，ＤＵｂ）に関連付けて、機能実行装置３０ｂの識別情報（機能実行装置ＩＤ）と、当該機能実行装置の実行内容、つまり動作モードを識別する情報（動作モードＩＤ）が記憶されている。例えば、アルミ素材からなる第１の面４０ａはアルミ素材が持つ「冷たい」という感覚を有しているため、その素材ＩＤ（ＤＵａ）にはエアコンの「温度を下げる」動作に対応する動作モードＩＤが関連付けて記憶されている。これに対しファー素材からなる第２の面４０ｂはファー素材が持つ「暖かい」という感覚を有しているため、その素材ＩＤ（ＤＵｂ）にはエアコンの「温度を上げる」動作に対応する動作モードＩＤが関連付けて記憶されている。図８にこの変換テーブル５４の一例を示す。
【００６３】
センシングユニット判別部５２は、上記ホームサーバ通信部５１により受信された遠隔制御信号から素材ＩＤを抽出する。そして、送信元のセンシングユニット４０で選択された面がアルミ素材からなる第１の面４０ａであるか、ファー素材からなる第２の面４０ｂであるかを判別する。
【００６４】
命令／実行変換部５３は、上記センシングユニット判別部５２により抽出された素材ＩＤをもとに、上記変換テーブル５４から該当する機能実行装置ＩＤ及び実行内容を表す動作モードＩＤを読み出し、この読み出した機能実行装置ＩＤ及び動作モードＩＤを上記ホームサーバ通信部５１に渡す。
【００６５】
機能実行装置３０ｂは、第１の実施形態と同様に、機能情報格納部３１と、機能実行部３２と、クライアント通信部３３を備えている。このうち機能実行部３２及びクライアント通信部３３は、図示しないプログラムメモリに格納されたプログラムをＣＰＵに実行させることにより実現される。
【００６６】
機能情報格納部３１には、上記ホームサーバ５０が送信する動作モードＩＤに対応付けて、機能実行装置３０ｂが備える機能の具体的な実行内容を表す情報が記憶されている。
クライアント通信部３３は、上記ホームサーバ５０から送信される遠隔制御信号を受信する機能を有する。機能実行部３２は、上記クライアント通信部３３により受信された遠隔制御信号から機能実行装置ＩＤ及び動作モードＩＤを抽出し、この抽出された機能実行装置ＩＤが自装置のＩＤと一致する場合に、上記抽出された動作モードＩＤに対応する機能実行内容を表す情報を上記機能格納部３１から読み出し、この読み出された機能実行内容を表す情報を実行する処理を行う。
【００６７】
（動作）
次に、以上のように構成されたセンシングユニット４０、ホームサーバ５０及び機能実行装置３０ｂの動作を説明する。図９は、遠隔制御の処理手順と処理内容を示すフローチャートである。
【００６８】
ユーザがセンシングユニット４０を、アルミ素材で形成された第１の面４０ａを上にしてテーブルに置いたとする。そうすると、センシングユニット４０では、計測値の発生をステップＳ１１で検出すると、ステップＳ１２において計測部４１１，４１２から出力される検出電圧ｖ1 ，ｖ2 がそれぞれ取り込まれる。そして、この取り込まれた検出電圧ｖ1 ，ｖ2 が、閾値判定部４２２内に予め記憶されている閾値Ｖt1 ，Ｖt2とステップＳ１３で比較され、検出電圧を出力した計測部４１１，４１２がどの面に配置された計測部であるかが判定される。そして、ステップＳ１４において、この判定された面に対し反対側となる面に対応する素材ＩＤ（ＤＵａ又はＤＵｂ）が、センシングユニットＩＤ格納部４２１から読み出される。
【００６９】
すなわち、センシングユニット４０をテーブルに置くと、当該センシングユニット４０のテーブルと接する面（下面）に配置された計測部から検出信号が出力され、この検出信号を出力した計測部が配置された面とは反対側となる面、つまり上面の素材ＩＤが読み出される。
【００７０】
次にステップＳ１５において、センシング通信部４２３により、上記読み出された素材ＩＤを含む遠隔制御信号が生成され、この生成された遠隔制御信号がセンシング通信部４２３からホームサーバ５０に向け送信される。
【００７１】
ホームサーバ５０では、ステップＳ１６で遠隔制御信号の到来を検知すると、ステップＳ１７により上記遠隔制御信号の受信処理が行われ、この受信された遠隔制御信号から素材ＩＤが抽出される。続いてステップＳ１８において、上記抽出された素材ＩＤをもとに変換テーブル５４がアクセスされ、上記素材ＩＤに対応付けられた機能実行装置ＩＤ及び実行内容を表す動作モードＩＤが読み出される。
【００７２】
そしてステップＳ１９において、上記センシングユニット４０から受信した遠隔制御信号が、上記読み出された機能実行装置ＩＤ及び実行内容を表す動作モードＩＤを含む遠隔制御信号に変換され、この変換後の遠隔制御信号がホームサーバ通信部５１から機能実行装置３０ｂに向け送信される。
【００７３】
これに対し機能実行装置３０ｂでは、ステップＳ２０で遠隔制御信号の到来を検知すると、ステップＳ２１により上記遠隔制御信号の受信処理が行われ、この受信された遠隔制御信号から機能実行装置ＩＤ及び動作モードＩＤが抽出される。続いてステップＳ２２において、上記抽出された機能実行装置ＩＤ及び動作モードＩＤをもとに、機能情報格納部３１から上記機能実行装置ＩＤ及び動作モードＩＤに対応付けられた実行内容を表す制御情報が読み出される。そして、上記実行内容を表す制御情報に従い、ステップＳ２３において該当する機能が実行される。
【００７４】
例えば、いまユーザが、センシングユニット４０をアルミ素材で形成された第１の面４０ａを上にしてテーブルに置いたとする。この場合、センシングユニット４０からは、上記第１の面４０ａの素材を表す素材ＩＤ（ＤＵａ）を含む遠隔制御信号が送信される。ホームサーバ５０では、上記遠隔制御信号に含まれる素材ＩＤ（ＤＵａ）をもとに、図８に示す変換テーブル５４から「エアコン」を示す機能実行装置ＩＤと「温度を下げる」動作を表す動作モードＩＤが読み出される。そして、この読み出された各ＩＤを含む遠隔制御信号が機能実行装置３０ｂに向け送信される。
【００７５】
機能実行装置（エアコン）３０ｂでは、上記遠隔制御信号が受信されると、先ず当該遠隔制御信号に含まれる「エアコン」を示す機能実行装置ＩＤをもとに、上記受信された遠隔制御信号が自装置宛の信号であるか否かが判定される。そして、自装置宛の遠隔制御信号であれば、上記受信された遠隔制御信号に含まれる動作モードＩＤをもとに、機能情報格納部３１から当該動作モードＩＤに対応する「温度を下げる」ための制御情報が読み出される。そして、この読み出された制御情報に従い、設定温度を例えば２度下げる制御が行われる。
【００７６】
一方、ユーザが、センシングユニット４０を、ファー素材を用いた第２の面４０ｂを上にしてテーブル上に置いたとする。この場合、センシングユニット４０からは、上記第２の面４０ｂの素材を表す素材ＩＤ（ＤＵｂ）を含む遠隔制御信号が送信される。ホームサーバ５０では、上記遠隔制御信号に含まれる素材ＩＤ（ＤＵｂ）をもとに、図８に示す変換テーブル５４から「エアコン」を示す機能実行装置ＩＤと「温度を上げる」動作を表す動作モードＩＤが読み出される。そして、この読み出された各ＩＤを含む遠隔制御信号が機能実行装置３０ｂに向け送信される。
【００７７】
機能実行装置（エアコン）３０ｂでは、上記遠隔制御信号が受信されると、先ず当該遠隔制御信号に含まれる「エアコン」を示す機能実行装置ＩＤをもとに、上記受信された遠隔制御信号が自装置宛の信号であるか否かが判定される。そして、自装置宛の遠隔制御信号であれば、上記受信された遠隔制御信号に含まれる動作モードＩＤをもとに、機能情報格納部３１から当該動作モードＩＤに対応する「温度を上げる」ための制御情報が読み出される。そして、この読み出された制御情報に従い、設定温度を例えば２度上げる制御が行われる。
【００７８】
（効果）
以上詳述したように第２の実施形態では、第１の面４０ａをアルミ素材により形成すると共に、裏面側の第２の面４０ｂをファー素材により形成したセンシングユニット４０を用意している。そして、ユーザがこのセンシングユニット４０を、希望する実行内容に対応する面が上面になるようにテーブル上に置くと、センシングユニット４０から当該上面の素材を表す素材ＩＤを含む遠隔制御信号が生成されてホームサーバ５０へ送信される。ホームサーバ５０では、上記遠隔制御信号に含まれる素材ＩＤに対応付けられた機能実行装置のＩＤと実行内容を表す動作モードＩＤが変換テーブル５４から読み出され、上記受信された遠隔制御信号が上記読み出された各ＩＤを含む遠隔制御信号に変換されて機能実行装置３０ｂへ送信される。機能実行装置３０ｂでは、受信された遠隔制御信号に含まれる機能実行装置ＩＤにより当該遠隔制御信号が自装置宛か否かを判定し、自装置宛であれば上記受信された遠隔制御信号に含まれる動作モードＩＤに対応する実行内容の動作が実行される。
【００７９】
したがって、ユーザは、希望する実行内容に応じて、センシングユニット４０のアルミ素材で形成された第１の面４０ａ、或いはファー素材で形成された第２の面４０ｂの何れかを選択して、当該面が上面になるようにテーブル上に置くだけで、機能実行装置３０ｂを希望する動作状態に制御することができる。すなわち、アルミ素材で形成された第１の面４０ａとファー素材で形成された第２の面４０ｂの何れかを選択することで、機能実行装置３０ｂを上記素材の違いから直感的に理解できる動作状態に遠隔制御することが可能となる。
【００８０】
また、センシングユニット４０からは素材ＩＤを遠隔制御信号により送信し、ホームサーバ５０において上記遠隔制御信号に含まれる素材ＩＤをもとに制御対象の機能実行装置とその動作モードを特定して、機能実行装置３０ｂの動作を制御するようにしているので、センシングユニット４０の処理負荷を軽減し、これによりセンシングユニット４０の消費電力を減らしてバッテリ寿命を延ばすことが可能となる。
【００８１】
［他の実施形態］
前記各実施形態では、センシングユニット１０ａ，１０ｂ又は４０から送信された遠隔制御信号を、ホームサーバ２０又は５０で制御対象となる機能実行装置のＩＤと実行内容を示す動作モードＩＤを含む遠隔制御信号に変換したのち機能実行装置３０ａ，３０ｂ，３０ｃ，…へ送信して動作を制御するようにした。しかし、それに限らず、センシングユニット１０ａ，１０ｂ又は４０から機能実行装置３０ａ，３０ｂ，３０ｃ，…へ遠隔制御信号を直接送信して動作を制御するようにしてもよい。またその場合、センシングユニット１０ａ，１０ｂ又は４０において、センシングユニットＩＤ及び命令ＩＤ等を制御対象となる機能実行装置のＩＤ及び実行内容を示す動作モードＩＤに変換して送信するようにしてもよいし、センシングユニット１０ａ，１０ｂ又は４０からはセンシングユニットＩＤ及び命令ＩＤ等を含む遠隔制御信号を送信し、機能実行装置３０ａ，３０ｂ，３０ｃ，…において、受信された遠隔制御信号に含まれるセンシングユニットＩＤ及び命令ＩＤ等を動作モードＩＤに変換してそれに対応する動作を制御するようにしてもよい。
【００８２】
また、前記各実施形態では素材としてアルミ素材とファー素材を用いた場合を例にとって説明したが、剛性のある金属材料と柔軟性のある樹脂又はゴム材料等の組み合わせを使用してもよい。さらに、柔軟度合いの異なる素材を３種類以上組み合わせて使用してもよい。その他、形状の種類やセンシングユニットの数、センシングユニットの筐体形状（立方体に限らず長方体や角柱体、錐体でもよい）等についても、種々変形して実施できる。また、機能実行装置の種類や実行する動作の内容等についても、種々変形して実施できる。
【００８３】
要するにこの発明は、上記各実施形態そのままに限定されるものではなく、実施段階ではその要旨を逸脱しない範囲で構成要素を変形して具体化できる。また、上記各実施形態に開示されている複数の構成要素の適宜な組み合せにより種々の発明を形成できる。例えば、各実施形態に示される全構成要素から幾つかの構成要素を削除してもよい。さらに、異なる実施形態に亘る構成要素を適宜組み合せてもよい。
【符号の説明】
【００８４】
１０ａ，１０ｂ，４０…センシングユニット、４０ａ…アルミ素材を用いた面、４０ｂ…ファー素材を用いた面、２０，５０…ホームサーバ、２１，５１…ホームサーバ通信部、２２，５２…センシングユニット判別部、２３，５３…命令／実行変換部、２４，５４…変換テーブル、３０ａ，３０ｂ，３０ｃ…機能実行装置、３１…機能情報格納部、３２…機能実行部、３３…クライアント通信部、１１１〜１１６，４１１，４１２…計測部、１２，４２…回路モジュール部、１２１，４２１…センシングユニットＩＤ格納部、１２２…命令ＩＤ格納部、１２３，４２２…閾値判定部、１２４，４２３…センシング通信部。
【図１】
0005839728.tif 000002
【図２】
0005839728.tif 000003
【図３】
0005839728.tif 000004
【図４】
0005839728.tif 000005
【図５】
0005839728.tif 000006
【図６】
0005839728.tif 000007
【図７】
0005839728.tif 000008
【図８】
0005839728.tif 000009
【図９】
0005839728.tif 000010